(57)【要約】【課題】  本発明は、健康障害を引き起こしているアスベストを用いた工業製品や建材製品のアスベスト無害化システムであって、アスベスト含有複合材の無害化処理を行うもので、かつ、資源の有効活用からリサイクルを図ったものである。【解決手段】  アスベスト複合材を８００℃前後で加熱した後、水槽から供給される冷水で冷却し、前記複合材の表面を破壊状態に変化させることによって、処理物の表面の細孔率を向上させ、塩化カルシウムなどの水溶液を含浸しやすくし、水酸化カルシウムや炭酸カルシウム等カルシウム化合物を混練させ、８００℃前後で無害化処理することで、低コストとコンパクトな設備で従来方法の反応時間を半減させたアスベスト含有複合材のアスベストの無害化システムである。【選択図】図１
2008272593.tif 000002
【特許請求の範囲】
【請求項１】
繊維状アスベストと酸化カルシウムの成分を含有するセメントを有する複合材を、塩化カルシウムを含有する反応液に浸漬して該反応液を複合材中に含浸させた後，６００〜８５０℃の温度で加熱することにより、アスベスト化合物中のマグネシウムとケイ素の化学結合を切断し，繊維状アスベストを粒状または粉状に分解することを特徴とするアスベスト含有複合材のアスベスト無害化方法に用いるアスベスト含有複合材のアスベスト無害化装置であって，アスベスト含有複合材を８００℃前後で加熱した後、急速に水槽から供給される冷水で冷却し、前記複合材の表面を破壊した状態に変化させることによって、反応表面積の拡大により細孔率の向上を図り、塩化カルシウム等の水溶液を含浸させることはごく簡単で、迅速に処理でき、塩化カルシウムの水溶液を含浸させたものに水酸化カルシウム叉は炭酸カルシウム等カルシウム化合物を混練させ、８００℃前後（６００℃〜８５０℃）で加熱することにより２時間かかっていた反応時間を１時間以下に半減させたことを特徴とするアスベスト含有複合材のアスベスト無害化システム。
【請求項２】
混練機からバッファ−タンクを介して送り込まれるアスベスト含有複合材を反応処理させる低温無害化処理キルンは、建材そのものに含浸させる反応機と比べて大きさを５分の１以下に設計したことを特徴とするアスベスト含有複合材のアスベスト無害化システム。
【請求項３】
アスベスト含有複合材の低温無害化処理キルンから発生する処理物は、洗浄装置で洗浄され、塩化カルシウムを含む洗浄液は、アスベスト溶融助剤含浸槽に回流され、廃熱は二次燃焼室から廃熱利用として熱風発生機を介してアスベスト処理物の表面の細孔率を向上させる装置に送熱され、処理残渣は袋詰設備で袋詰されリサイクルされることを特徴とするアスベスト含有複合材のアスベスト無害化システム
【発明の詳細な説明】
【技術分野】
【０００１】  本発明は、悪性中皮腫、肺ガン，石綿肺などの健康障害を引き起こしているアスベストを用いた工業製品や建材製品のアスベスト含有複合材のアスベスト無害化システムであって、回収されたアスベスト含有複合材の無害化処理を行うもので、かつ、資源の有効活用からリサイクルを図ったものである。
【背景技術】
【０００２】  アスベスト（石綿）は地中から産出される繊維状ケイ酸塩鉱物であり、６種類のアスベストが知られているが、最も多く使われているのがクリソタイル（白石綿）で、蛇紋石系石綿と呼ばれており、角閃石系ではクロシドライト（青石綿）、アモサイト（茶石綿）、アンソフェライト（直閃石）、トレモライト（透閃石）、アクチノライト（緑閃石）などが知られており、工業的に使われているのは、クロシドライトとアモサイトである。【０００３】  従来、アスベストの無害化技術としては、特許文献１記載の密閉型電気炉溶解法や特許文献２記載のスラグ浴融解法などがあげられているが、これらはいずれも１０００℃以上の処理温度を必要とし、さらに高温溶融法なども試みられてきたが、１５００℃以上の高温で溶融処理をしてきたが、高価な処理法として負担が大きく、膨大なエネルギ−消費やイニシャルコストの問題から実用されるものは殆どなかった。
【特許文献１】特許第３，０８５，９５９号公報
【特許文献２】特開平７−１７１５３６号公報
【０００４】  また、特許文献３記載のフロン化合物混合法では、アスベストとフロン分解無害化処理によって生成されたフロン化合物とを混合し、当該混合物を低温加熱処理する方法では、オゾン層破壊物質のフロンを採用しているため社会的に指弾されるようになった。【０００５】
【特許文献３】特開２００５−１６８６３２号公報
【発明の開示】
【発明が解決しようとする課題】
【０００６】  以上述べたように、アスベストの無害化技術としては１０００℃以上の高温処理や、巨大な設備投資が必要であったり、フロン化合物の採用で社会的にも環境問題を惹起することが大きな課題となっていた。【０００７】  本発明は、従来技術の欠点を解消しようとするものであり、アスベスト複合材を７００℃前後で加熱した後、水槽から供給される冷水で冷却し、前記複合材の表面を破壊状態に変化させることによって処理物の表面の細孔率を向上させ、塩化カルシウムなどの水溶液を含浸しやすくし、水酸化カルシウムを混練させ、８００℃前後で無害化処理することで、低コストとコンパクトな設備で反応時間を半減させたアスベスト含有複合材のアスベストの無害化システムを開発することを目的とするものである。
【課題を解決するための手段】
【０００８】  本発明を図面に従って詳細に説明すると、図１はアスベスト含有複合材のアスベスト無害化システムのフローシートであり、フレコンバックで回収されたアスベスト含有複合材はピット１に集積され、３０ｃｍ〜１ｍ位の破材のアスベスト含有複合材２は圧縮機３でフレコンバックとともに押しつぶし、ギロチン形式の切断機４で切断し、さらに２軸のエア吸引機付の破砕機５で３〜５ｃｍ位の大きさに破砕し、又物によってはハンマ−式破砕機で１ｃｍ以下に粉砕し、磁選機６に送られ、鉄材を除去・回収し、アスベスト含有複合材は定量搬出機付のバッファータンク７に送られて無害化システムの待機状態に入ることにしている。【０００９】  無害化システムの稼動に当たっては、バッファータンク７に待機している破砕されたアスベスト含有複合材を定量供給して加熱キルン８に送り込まれ、８００℃前後（６００〜８５０℃）で加熱し、スレート建材表面処理用水槽２１に送り、かつ、水源２５から供給されている冷水を水槽２６を介してスレート建材表面処理用水槽２１送給し、処理物を急冷し、その後アスベスト溶融助剤含浸槽２２に溶融助剤タンク２８の塩化カルシウムを原資とした溶融助剤液タンク２７から塩化カルシウム溶液を投入し、一方低温処理触媒貯留槽２９から水酸化カルシウムや炭酸カルシウム等カルシウム化合物を投入した混練機２３に、アスベスト溶融助剤含浸槽２２から塩化カルシウムを投入し、両者を混練し、定量投入機付のバッファータンク２４に貯留されている。【００１０】  アスベスト含有複合材の無害化処理に当たっては、固体混合されたアスベスト含有複合材は、無害化処理に際してバッファータンク２４からアスベスト含有複合材の無害化処理１ｃキルン３０へ定量投入される。アスベスト含有複合材の無害化処理キルン３０はバーナー３１により６００℃〜８５０℃で加熱し、廃熱は二次燃焼室１７から廃熱利用として熱風発生機１６を介してアスベスト処理物の表面の細孔率を向上させる装置に送熱し、加熱キルン８へ送り加熱を支援している。【００１１】  また、補助バーナー１８はオイルタンク２０からオイルサ−ビスタンク１９を介してオイルが供給され、二次燃焼室１７の燃焼を助けているが、オイルサ−ビスタンク１９からはアスベスト含有複合材の無害化処理キルンに対する加熱用のバ−ナ−３１にも供給されている。【００１２】  加熱キルン８からの廃熱はサイクロン９を介して送風機１１で機能している冷却機１０に送られ、さらにバグフィルタ１２を通して排風機１３に送られ、排気筒１４へと送り込まれる。【００１３】  また、アスベスト含有複合材の無害化処理キルン３０で処理された複合材は、洗浄装置５１で洗浄された後、処理物はピット３２に置かれ、処理残渣は袋詰設備３３で袋詰されリサイクルされるようになっており、塩化カルシウムを含む洗浄液は、アスベスト溶融助剤含浸槽２２へと送液されるようになっている。そして、このシステムの制御はバ−ナ−や補助バ−ナ−へのオイル供給などの比例制御を含めて制御盤１５で行われるようになっている。
【発明の効果】
【００１４】  本発明のアスベスト含有複合材のアスベスト無害化システムは、上述したような装置と制御システムを採用しているため、最適な設備投資で運用され、環境問題を惹起するフロン化合物の不採用で大気汚染を防止し、かつ、アスベストの無害化処理にあたっては７００℃前後で無害化処理するため、低コストで反応時間も半減されるようになった。【００１５】  また、アスベスト含有複合材は３〜５ｃｍ位に破砕し、処理物によってはさらに１ｃｍ以下に粉砕し、反応表面積の拡大によりアスベスト処理物の表面の細孔率が上昇している。
【発明を実施するための最良の形態】
【００１６】  以下、本発明の実施の形態を図２に基づいてアスベスト無害化装置の前処理フローについて説明する。【００１７】  トラックンなどの搬送車でフレコンバックの被処理物を倉庫に搬入するが、被処理物は供給クレ−ン６４で切断機６５上にフレコンバックを載置し、圧縮機６６で押しつぶし、ギロチン切断機６７でカットされ、第１搬送コンベア６９で破砕機６８に搬送し、時には再び破砕し、第２搬送コンベア７０で定量供給装置付貯留槽７５へ送られ、第３搬送コンベア８０で廃熱利用供給装置へ送られるものである。
サイクロン７１からはバグフィルタ−７２へ、また、バグフィルター７２からは空気圧縮機７４を稼動させて排風機７３で排風する。【００１８】  図３、図４に基づいて、加熱キルン８の平面図、側面図で説明する。【００１７】  加熱キルン８の本体に併設して動力盤５３、制御盤５４を設け、処理物７７が挿入口から挿入され、取り出し装置５２を介してバンカ−５５に送られる。【００１８】  図５、図６に基づいて混練機２３の説明をすると、ケーシング５６、フレーム５７、ロッド５８、モイックセンサ５９、ダストガイド６０、シャフト６１、ペアリングプレ−ト６２、エンドプレ−ト６３、サイクロン装置７８、ギアケース７９などで構成され、低温処理触媒貯留槽２９からの水酸化カルシウムや炭酸カルシウム等カルシウムを投入したものに、アスベスト溶融助剤含浸槽２２から塩化カルシウムをそれぞれ投入し、両者を混練するものである。【００１９】  図７に基づいて、アスベスト含有複合材低温無害化処理キルン３０の概略図で説明する。【００２０】  アスベスト含有複合材低温無害化処理キルン３０は、コンベヤ３４、スクリュ−コンベヤ３５、燃焼バ−ナ−３６、エジェクタ−３７、エジェクタ−用送風機３８、熱交換器３９、ガス冷却機４０、バグフィルタ−４１、押込み送風機４２、冷却用送風機４３、煙突４４、誘引通風機４５、リングブロア４６、アキュ−ムタンク４７、スクリュ−コンプレッサ４８、オイルサ−ビスタンク４９、操作・制御盤５０などで構成され、熱処理された処理物はガス冷却機４０を介してバグフィルタ４１に送られ、誘引通風機４５を介して煙突４４に送られ外部に排出される。
【図面の簡単な説明】
【００２１】
【図１】アスベスト含有複合材のアスベスト無害化装置のフロ−シ−ト
【図２】アスベスト無害化装置の前処理フロ−図
【図３】加熱キルンの平面図
【図４】加熱キルンの側面図
【図５】混練機の平面図
【図６】混練機の側面図
【図７】アスベスト含有複合材低温無害化処理キルンの概略図
【符号の説明】
【００２２】１：ピット                  ２：アスベスト含有複合材        ３：圧縮機
４：切断機                  ５：破砕機                      ６：磁選機
７：バッファ−タンク        ８：加熱キルン                  ９：サイクロン
１０：冷却機              １１：送風機                    １２：バグフィルタ
１３：排風機              １４：排気筒                    １５：制御盤
１６：熱風発生機          １７：二次燃焼室                １８：補助バ−ナ−
１９：オイルサ−ビスタンク                                ２０：オイルタンク
２１：スレ−ト建材表面処理用水槽                ２２：アスベスト溶融助剤含浸槽
２３：混練機              ２４：バッファ−タンク          ２５：水源
２６：水槽                ２７：溶融助剤液タンク          ２８：溶融助剤タンク
２９：低温処理触媒貯留槽  ３０：アスベスト含有複合材無害化処理キルン
３１：バーナー            ３２：ピット                    ３３：袋詰設備
３４：コンベヤ            ３５：スクリュ−コンベア        ３６：燃焼バ−ナ−
３７：エジェクタ−        ３８：エジェクタ用送風機        ３９：熱交換器
４０：ガス冷却機          ４１：バグフィルタ              ４２：押込み送風機
４３：冷却用送風機        ４４：煙突                      ４５：誘引通風機
４６：リングブロア        ４７：アキュ−ムタンク
４８：スクリューコンプレッサ                    ４９：オイルサ−ビスタンク
５０：操作・制御盤        ５１：洗浄装置                  ５２：取出装置
５３：動力盤              ５４：制御盤                    ５５：バンカ−
５６：ケ−シング          ５７：フレ−ム                  ５８：ロッド
５９：モイックセンサ      ６０：ダストガイド              ６１：シャフト
６２：ペアリングプレ−ト  ６３：エンドプレート            ６４：供給クレーン
６５：切断機              ６６：圧縮機                    ６７：ギロチン切断機
６８：破砕機              ６９：第１搬送コンベヤ
７０：第２搬送コンベヤ    ７１：サイクロン                ７２：バグフィルタ
７３：排風機              ７４：空気圧縮機
７５：定量供給装置付貯留槽                                ７６：ダブルダンパ−
７７：処理物              ７８：サイクロン装置            ７９：ギアケース
８０：第３搬送コンベア
【図１】
2008272593.tif 000003
【図２】
2008272593.tif 000004
【図３】
2008272593.tif 000005
【図４】
2008272593.tif 000006
【図５】
2008272593.tif 000007
【図６】
2008272593.tif 000008
【図７】
2008272593.tif 000009